(57)【要約】【課題】被結束物の結束テープのたるみを戻して際止めする。【解決手段】ドライバハンドル１の先端とクリンチャアーム２との間に張架した結束テープａを被結束物に掛け回し、ドライバハンドル１とクリンチャアーム２とを閉じることにより、結束テープａの先端部を後続部との重なり部分をステープルにより綴じるとともにカッター刃により結束テープａを切断する園芸用結束機において、ドライバハンドル１に設けたテープ通路１ａに、結束テープａを両側から挟む駆動ローラ２７と従動ローラ２８とを設け、駆動ローラ２７を回転させて結束テープａを送り方向と逆方向に移動させる。【選択図】図１
2007117055.tif 000002
【特許請求の範囲】
【請求項１】
ステープラのドライバハンドルに結束テープを収納したテープリールを設け、このテープリールからテープ通路を経てドライバハンドルの先端とクリンチャアームとの間に張架した結束テープを被結束物に掛け回し、ドライバハンドルとクリンチャアームとを閉じることにより、ドライバハンドルのマガジン部とクリンチャアームの先端とが接して結束テープの先端部を後続部との重なり部分をステープルにより綴じるとともにドライバハンドルに設けたカッター刃により結束テープを切断する園芸用結束機において、
ドライバハンドルに設けたテープ通路に、上記結束テープを両側から挟む駆動ローラと従動ローラとを設け、駆動ローラを回転させて上記結束テープを送り方向と逆方向に移動させることを特徴とする園芸用結束機における結束テープのたるみ戻し機構。
【請求項２】
上記駆動ローラの操作手段を、駆動ローラの操作手段を結束時に指が届く範囲内に配置したことを特徴とする、請求項１に記載の園芸用結束機における結束テープのたるみ戻し機構。
【請求項３】
上記テープ通路に、上記結束テープを両側から挟み込み可能な駆動ローラと従動ローラとを設け、上記従動ローラを駆動ローラに対して当接離間可能に設け、離間方向に付勢するとともに、上記クリンチャアームと駆動ローラとを、上記クリンチャアームの上下運動を上記駆動ローラの、結束テープ送りに対する逆回転の回転運動に変換する変換機構を介して作動連結させたことを特徴とする、請求項１に記載の園芸用結束機における結束テープのたるみ戻し機構。
【請求項４】
上記従動ローラの操作手段を、駆動ローラの操作手段を結束時に指が届く範囲内に配置したことを特徴とする、請求項３に記載の園芸用結束機における結束テープのたるみ戻し機構。
【請求項５】
上記テープリールに手動回転用の摘みを設け、この摘みによりテープリールを結束テープ送り方向と逆方向に回転可能としたことを特徴とする、請求項１に記載の園芸用結束機における結束テープのたるみ戻し機構。
【発明の詳細な説明】
【技術分野】
【０００１】
本発明は、園芸用結束機に関するものであり、特に結束前に結束テープのたるみをとって際止めする園芸用結束機における結束テープのたるみ戻し機構に関するものである。
【背景技術】
【０００２】
園芸用結束機は、手動式のステープラと同様の機構を備える手持ち工具であり、葡萄、胡瓜等の蔓性農作物の蔓や枝を支柱等に結束する工具である（例えば特許文献１参照）。
【０００３】
園芸用結束機では、ドライバハンドルとクリンチャアームとを開閉操作して結束作業を行う。ドライバハンドルとクリンチャアームとを一回閉じるとピッキングプレートのストッパ機構が解除され、ピッキングプレートがドライバハンドルの先端から引き出されている結束テープに突き刺さる。そして、ドライバハンドルとクリンチャアームとを開くとドライバハンドル側から結束テープが引き出され、結束テープが張られた状態になる。
【０００４】
次に、この状態で園芸用結束機を前方に押し出してドライバハンドルとクリンチャアームの間に農作物の蔓等と支柱とを入れて結束テープをそれらにＵ字状に掛け回す。その後、ドライバハンドルとクリンチャアームを閉じると結束テープの先端部が後続部に重なりループ状となる。
【０００５】
次に、ドライバハンドルとクリンチャアームとをさらに閉じることにより、マガジン部に装填されたステープルで結束テープの重なり部分が綴じられ、カッター刃により結束テープが切断される。そして、ドライバハンドルとクリンチャアームを開くと１サイクルの結束処理が完了する。
【特許文献１】特開２００３−３４１６１３号公報
【発明の開示】
【発明が解決しようとする課題】
【０００６】
しかし、ドライバハンドルとクリンチャアームの間に張架された結束テープに被結束物を押し込んで掛け回す際に、上記結束機を押し込み過ぎると結束テープが余分に引き出されて結束テープがたるんでしまうことにより、結束の際に被結束物と結束テープとの間に隙間が生じて、結束後の被結束物同士がずれやすくなってしまうという問題があった。
【０００７】
従来の園芸用結束機では、いったん引き出された結束テープを巻き戻す機構が備えられておらず、結束テープのたるみにより結束が不十分になりそうな場合は、さらにもう１度同じ箇所を結束するより方法がなかった。
【０００８】
本発明は上記問題点を解消するためになされたものであり、園芸用結束機において結束前に結束テープのたるみが生じた場合であっても、余分に引き出された結束テープを巻き戻して結束前に結束テープのたるみを取りさることにより、被結束物と結束テープの間の隙間をなくして際止めすることができる、園芸用結束機における結束テープのたるみ戻し機構を提供することを課題とする。
【課題を解決するための手段】
【０００９】
前記課題を解決するため、請求項１に係る発明は、ステープラのドライバハンドルに結束テープを収納したテープリールを設け、このテープリールからテープ通路を経てドライバハンドルの先端とクリンチャアームとの間に張架した結束テープを被結束物に掛け回し、ドライバハンドルとクリンチャアームとを閉じることにより、ドライバハンドルのマガジン部とクリンチャアームの先端とが接して結束テープの先端部を後続部との重なり部分をステープルにより綴じるとともにドライバハンドルに設けたカッター刃により結束テープを切断する園芸用結束機において、ドライバハンドルに設けたテープ通路に、上記結束テープを両側から挟む駆動ローラと従動ローラとを設け、駆動ローラを回転させて上記結束テープを送り方向と逆方向に移動させることを特徴とする。
【００１０】
請求項２に係る発明は、上記駆動ローラの操作手段を、駆動ローラの操作手段を結束時に指が届く範囲内に配置したことを特徴とする。
【００１１】
請求項３に係る発明は、上記テープ通路に、上記結束テープを両側から挟み込み可能な駆動ローラと従動ローラとを設け、上記従動ローラを駆動ローラに対して当接離間可能に設け、離間方向に付勢するとともに、上記クリンチャアームと駆動ローラとを、上記クリンチャアームの上下運動を上記駆動ローラの、結束テープ送りに対する逆回転の回転運動に変換する変換機構を介して作動連結させたことを特徴とする。
【００１２】
請求項４に係る発明は、上記従動ローラの操作手段を、駆動ローラの操作手段を結束時に指が届く範囲内に配置したことを特徴とする。
【００１３】
請求項５に係る発明は、上記テープリールに手動回転用の摘みを設け、この摘みによりテープリールを結束テープ送り方向と逆方向に回転可能としたことを特徴とする。
【発明の効果】
【００１４】
請求項１に係る発明によれば、蔓性農作物の蔓や枝を支柱等に結束する作業において、結束テープを余分に引き出してしまった場合であっても、駆動ローラを回転させて結束テープを送り方向と逆方向に移動させることにより、結束テープは送り出し方向とは逆方向に戻り移動するので、たわみを簡単にとることができ、これにより被結束物に結束テープを密着させて結束することができ、良好な結束状態を得ることができる。
【００１５】
請求項２に係る発明によれば、駆動ローラの操作手段が結束作業している方の手の指が届く範囲内に配置されているので、片手でテープを戻すことができるので、操作性がよい。
【００１６】
請求項３に係る発明によれば、従動ローラを駆動ローラに押し付けて結束テープを両ローラの間に挟み込み、クリンチャアームを上下方向に運動させると、変換機構を介して上記駆動ローラが結束テープ送り方向と逆の方向に回転する回転運動に変換されるから、結束テープはテープリール側に戻され、結束テープのたるみは取れる。その後、上記動作を続ければ、たるみのない結束を実現することができる。
【００１７】
請求項４に係る発明によれば、従動ローラの操作手段が結束作業している方の手の指が届く範囲内に配置されているので、片手でテープを戻すことができるので、操作性がよい。
【００１８】
請求項５に係る発明によれば、摘みによりテープリールを直接に結束テープ送り方向と逆方向に回転させることができるので、構造が簡単になり、コストも低く抑えることができる。
【発明を実施するための最良の形態】
【００１９】
以下、本発明の実施の一形態を図に従って説明する。
【００２０】
図１は園芸用結束機の側面図であり、この結束機は細長のドライバハンドル１の中間に設けた回転軸３にクリンチャアーム２の基部を軸支し、クリンチャアーム２の中間部に設けた軸５には操作リンク４の中間部を回動自在に軸着し、この軸着部の一方を握り部４ａとし、他方のリンク部４ｂの先端に形成したフック部６を上記ドライバハンドル１の側部に設けたローラ状係合部７に係合させ、上記握り部４ａとドライバハンドル１とを握り締め、解放して上記クリンチャアーム２を開閉操作することにより上記クリンチャアーム２の先端のヘッド部８と上記ドライバハンドル１の前端のヘッド受け部９とを当接、離間可能としたものである。
【００２１】
ドライバハンドル１の後端部には、結束テープを収納したテープリール１０が設けられ、結束テープａはドライバハンドル１のテープ通路１ａを経て、その先端はドライバハンドル１の前端ヘッド受け部９の導出部１１に引き出し可能に保持されている。また、ドライバハンドル１にはステープラ本体部１２が配置されている。ステープラ本体部１２は通常のステープラと同様にマガジン部１３とステープル打ち出し部１４とを備え、ドライバハンドル１の中間部の上記軸３に回動可能に取り付けられている。マガジン部１３には門形のステープルを連結した連結ステープルが収納されている。ステープル打ち出し部１４には、マガジン部１３の先頭のステープルを下方に打ち出すドライバプレート１５が設けられている。
【００２２】
クリンチャアーム２のヘッド部８には、上記ステープル打ち出し部１４に対応するクリンチ溝１６と、上記結束テープａの先端の引き出し部１７が設けられている。
【００２３】
上記構成において、苗木や木の枝などの被結束物を結束テープａによって結束するときは、まず図２のようにクリンチャアーム２を閉じてそのヘッド部８の引き出し部１７にヘッド受け部９の結束テープａの先端を保持させて図１の点線のように開放し、ドライバハンドル１の先端とクリンチャアーム２との間に結束テープａを張架する。さらに苗木や枝などの被結束物ｂを結束テープａの外側から押し込んで図３のようにクリンチャアーム２を閉じる。さらに、操作リンク４の握り部４ａを強く握り締めてヘッド部８をさらに押し込み、ドライバプレート（１５）によりマガジン部１３の先端からステープルを打ち出し、結束テープａの先端部と後続部との重なり部分を貫通させてヘッド部８のクリンチ溝１６に押し付けてステープルの脚部を折り曲げて結束テープａを綴じる。同時に結束テープａはドライバハンドルに設けられたカッター刃によりカットされる。これにより、結束が終了する。
【００２４】
なお、上記結束機構の構成・作用は前掲特許文献１や実公平４−４６５４３号等に開示されているものによって知られている。
【００２５】
次に、上記ドライバハンドル１の中間部には、上記テープ通路１ａ内にローラボックス２０が配置され、このローラボックス２０には、図４に詳しく示すように、駆動ローラ２１と従動ローラ２２とが設けられている。従動ローラ２２はバネ２３により駆動ローラ２１に当接している。また、駆動ローラ２１の回転軸２４はローラボックス２０を貫通し、その端部には回転操作板２５が固定されている。結束テープａは上記２つのローラ２１、２２に挟まれてローラボックス２０を貫通するように形成されている。
【００２６】
なお、上記回転操作板２５は結束時にドライバハンドル１と操作リンク４を握った手の指が届く範囲内に配置されている。
【００２７】
上記構成によれば、苗木や枝などの被結束物ｂを結束テープａの外側から押し込んだ後、図３のようにクリンチャアーム２を閉じるときに、押し込みすぎて結束テープａがたるんだときは、回転操作板２５を親指等で回して駆動ローラ２１を矢印方向に回転させて上記結束テープａを送り方向と逆方向に移動させる。これにより、結束テープａは駆動ローラ２１と従動ローラ２２との回転によりテープリール１０側に戻されるので、図５に示されるように、結束テープａのたるみは取れる。その後、上記動作を続ければ、被結束物ｂに結束テープａを密着させて結束することができ、良好な結束状態を得ることができる。
【００２８】
図６は他の実施形態で、上記ドライバハンドル１の中間部にはテープ通路１ａの両側に支持プレート２６が取り付けられ、この支持プレート２６には、結束テープａを両側から挟み込み可能な駆動ローラ２７と従動ローラ２８とが回動自在に支持されている。図７に詳しく示されているように、従動ローラ２８は、上記支持プレート２６の内側に設けられた支持板３０の長孔３１に移動可能に支持されている。支持板３０は、支持プレート２６に支軸３２を中心に回動可能に支持され、回動によって駆動ローラ２７に対して当接離間可能に設けられ、バネ３３によって離間方向に付勢されている。さらに、支持板３０の上部には摘み３４が形成されている。
【００２９】
これに対し、上記クリンチャアーム２と駆動ローラ２７とは、上記クリンチャアーム２の上下運動を上記駆動ローラ２７の、結束テープ送りに対する逆回転の回転運動に変換する変換機構を介して作動連結している。
【００３０】
すなわち、変換機構の構成は駆動ローラ２７の回転軸３５にはラチェット歯車３６が取り付けられている。上記駆動ローラ２７の下方には爪状の歯３７が連続的に鋸歯状に形成された円弧状の駆動アーム３８が配置され、この駆動アーム３８の下端は上記クリンチャアーム２に設けられた軸４０に回動自在に支持されている。そして、上記軸４０の近傍と上記軸との間にはバネ４１が取り付けられ、そのバネ力により上記駆動アーム３８は常時駆動ローラ２７側に付勢され、ラチェット歯車３６と駆動アーム３８の歯３７が噛合するようになっている。
【００３１】
なお、上記従動ローラ２８を支持する支持板３０の摘み（操作手段）３４は、結束時にドライバハンドル１と操作リンク４を握った手の指が届く範囲内に配置されている。
【００３２】
上記構成によれば、テープ通路１ａの結束テープａを、駆動ローラ２７と従動ローラ２８との間を通しておき、上述のように苗木や枝などの被結束物ｂをドライバハンドル１の先端とクリンチャアーム２との間に張架した結束テープａの外側から押し込み、操作リンク４によりクリンチャアーム２２を閉じるときに、押し込みすぎて結束テープａがたるんだときは、図８に示すように親指等で摘み３４を押し下げて従動ローラ２８を駆動ローラ２７に押圧し、操作リンク４を握り締めると、リンク部４ｂが係合部７との係合部位を中心に回動するので、全体として軸５とともにクリンチャアーム２は上動する。これにより駆動アーム３８は押し上げられるから、駆動ローラ２７は回転させられ、結束テープａは送り方向と逆方向に移動させられる。この移動量は小さいので、操作リンク４を解放すると、クリンチャアーム２も下がり、駆動アーム３８はバネ４１によって引き下げられるが、このときは駆動アーム３８の歯３７はラチェット歯車３６とは噛み合わないから、駆動ローラ２７は回転しない。この動作を繰り返してクリンチャアーム２を上下動させると、結束テープａは送り方向と逆方向に移動していくから、結束テープａはテープリール１０側に戻され、結束テープａのたるみは取れる。その後、上記動作を続ければ、たるみのない結束を実現することができる。
【００３３】
なお、摘み３４を押し下げなければ従動ローラ２８と駆動ローラ２７とは離間しているから、クリンチャアーム２の作動は結束テープａの戻し移動と関係なく行なわれる。
【００３４】
図９、図１０及び図１１はさらに他の実施形態で、テープリール１０はリールケース３９内に配置されている。リールケース３９は一側が開放したケース本体３９ａの中心の円孔４４に外側から摘み４５の筒状軸４６を嵌入し、この筒状軸４６にケース本体３９ａの内側からハブ受け４７の筒状軸４８を圧入して一体的に結合し、さらにハブ受け４７の外側から結束テープａを巻装したハブ４９を強く嵌合させて、摘み４５とハブ４９とが一体に動くように構成されている。５０はカバーである。
【００３５】
上記構成によれば、上述と同じように結束部分のたるみをとるときは、摘み４５を結束テープａの送り方向と逆方向に回転させて結束テープａを戻してやればよい。その後、上記動作を続ければ、たるみのない結束を実現することができる
【図面の簡単な説明】
【００３６】
【図１】本発明の一実施形態を示す園芸用結束機の側面図である。
【図２】上記結束機のクリンチャアームの閉じ状態を示す側面図である。
【図３】上記結束機の結束時の側面図である。
【図４】結束テープのたるみ戻し機構を示す断面図である。
【図５】結束テープのたるみの戻し操作をしている状態の断面図である。
【図６】他のたるみ戻し機構を備えた結束機の側面図である。
【図７】上記たるみ戻し機構の拡大断面図である。
【図８】上記たるみ戻し機構の作動態様説明図である。
【図９】さらに他のたるみ戻し機構を備えた結束機の要部縦断面図である。
【図１０】図９のＸ−Ｘ線上の断面図である。
【図１１】リールケースのケース本体の斜視図である。
【符号の説明】
【００３７】
ａ  結束テープ
１      ドライバハンドル
１ａ    テープ通路
２１、２７    駆動ローラ
２２、２８    従動ローラ
４５    摘み
【図１】
2007117055.tif 000003
【図２】
2007117055.tif 000004
【図３】
2007117055.tif 000005
【図４】
2007117055.tif 000006
【図５】
2007117055.tif 000007
【図６】
2007117055.tif 000008
【図７】
2007117055.tif 000009
【図８】
2007117055.tif 000010
【図９】
2007117055.tif 000011
【図１０】
2007117055.tif 000012
【図１１】
2007117055.tif 000013